(57)【要約】【課題】介護者が利用者の足先の位置を調整するときに、足先支持ステーの配置の仕方が従来よりも分かり易くなり、介護者の負担を従来よりも軽減すること。【解決手段】ベッド装置の足ボトム支持機構は、足ボトム１０６の他端部の下方に回動可能に連結された足先支持ステー１７０と、ベッドフレーム１０１に設けられた足先支持ステー用支持部１１１と、足ボトム１０６の下面に設けられた足先支持ステー固定部材１９０と、を具備している。足先支持ステー用支持部１１１は、足ボトム１０６の他端部が第１位置（高位置）に調節されるときに足先支持ステー１７０の先端部１０９を移動可能に支持する。足先支持ステー固定部材１９０は、足ボトム１０６の他端部が第１位置（高位置）よりも低い第２位置（低位置）に調節されるときに足先支持ステー１７０を足ボトム１０６に固定する。【選択図】図６
2014226368.tif 000002
【特許請求の範囲】
【請求項１】
ベッドフレームと、その一端部が前記ベッドフレームに回動昇降可能に支持された膝ボトムと、その一端部が前記膝ボトムの他端部に回動可能に連結された足ボトムとを備えたベッド装置の足ボトム支持機構において、
前記足ボトムの他端部の下方に回動可能に連結された足先支持ステーと、
前記ベッドフレームに設けられ、前記足ボトムの他端部が第１位置に調節されるときに前記足先支持ステーの先端部を移動可能に支持するための足先支持ステー用支持部と、
前記足ボトムの下面に設けられ、前記足ボトムの他端部が前記第１位置よりも低い第２位置に調節されるときに前記足先支持ステーを前記足ボトムに固定するための足先支持ステー固定部材と、
を具備することを特徴とするベッド装置の足ボトム支持機構。
【請求項２】
前記足先支持ステー固定部材には、前記足先支持ステーを着脱可能な溝部が形成され、
前記足ボトムの他端部が前記第２位置に調節されるときに、前記足先支持ステーは前記足先支持ステー固定部材の前記溝部に取り付けられ、
前記足ボトムの他端部が前記第２位置から前記第１位置に調節されるときに、前記足先支持ステーは前記足先支持ステー固定部材の前記溝部から取り外されて、前記足先支持ステーの先端部は前記足先支持ステー用支持部により移動可能に支持される、
ことを特徴とする請求項１に記載のベッド装置の足ボトム支持機構。
【請求項３】
前記足ボトムには、マットレスがボトムの上面に設けられたときに前記足ボトムの他端部の上方で前記マットレスの長さ方向へのズレを抑制するためのマットレスズレ抑制部と、前記足ボトムの下面で前記マットレスズレ抑制部を支持するためのマットレスズレ抑制部支持体とを備えた足先用マットレス止め部が設けられ、
前記足ボトムの下面には、前記足先用マットレス止め部の前記マットレスズレ抑制部支持体を前記足ボトムに固定するための足先用マットレス止め固定部材が設けられ、
前記足先用マットレス止め固定部材には、前記足先用マットレス止め部の前記マットレスズレ抑制部支持体を着脱可能な溝部が形成され、
前記足先支持ステー固定部材は、前記足先用マットレス止め固定部材と同じ部材である、
ことを特徴とする請求項２に記載のベッド装置の足ボトム支持機構。
【請求項４】
前記足先支持ステー用支持部は、
前記足ボトムの他端部が前記第１位置に調節されるときに前記足先支持ステーの先端部を係合するための係合部、
を備えたことを特徴とする請求項２又は３に記載のベッド装置の足ボトム支持機構。
【発明の詳細な説明】
【技術分野】
【０００１】
本発明は、ベッド装置の足ボトムを支持する足ボトム支持機構に関する。
【背景技術】
【０００２】
背上げ動作や膝上げ動作を行なう機構部を具備するベッド装置が知られている（例えば、特許文献１）。背上げ動作では、上部フレームに搭載された背ボトムを作動させることによって、背ボトムに接する利用者の背中を起こして、利用者が横たわっている状態（仰向けの状態）から座っている状態にする。膝上げ動作では、上部フレーム上に載置された膝ボトムを作動させることにより利用者の膝を上げる。
【０００３】
このようなベッド装置は、例えば、身体が不自由な利用者により在宅で利用される。利用者は、ベッド装置に対して背上げ動作や膝上げ動作を行なわせることにより、自身が好む姿勢にすることができる。
【０００４】
また、介護者は、ベッド装置に対して背上げ動作や膝上げ動作を行なわせることにより、利用者を介護しやすくなる。このように、ベッド装置は、在宅で利用する側である利用者の動作を助けることができる上に、利用者を介護する側である介護者を介護することができる。
【０００５】
膝ボトムには足ボトムの一端部が回動可能に連結されている。足ボトムの他端部の下方に支持機構（足ボトム支持機構）が設けられ、足ボトム支持機構は、膝上げ動作が行なわれるときの足ボトムの他端部の位置、すなわち、利用者の足先の位置を第１位置（高位置）又は第１位置より低い第２位置（低位置）に調節を可能とする（例えば、特許文献２）。
【０００６】
従来のベッド装置の足ボトム支持機構では、介護者が、利用者の足先の位置を低位置に調節する場合、足先支持ステーの端部を足先支持ステー用支持部の低段部に配置することにより、膝上げ動作から膝下げ動作への移行を何度行なっても、利用者の足先の位置を低位置に保つことができる。また、介護者が、利用者の足先の位置を高位置に調節する場合、足先支持ステーの端部を足先支持ステー用支持部の係合部に配置することにより、膝上げ動作から膝下げ動作への移行を何度行なっても、利用者の足先の位置を高位置に保つことができる。
【先行技術文献】
【特許文献】
【０００７】
【特許文献１】特開２００９−２０７６４２号公報
【特許文献２】特開２００９−２０７６２６号公報
【発明の概要】
【発明が解決しようとする課題】
【０００８】
しかしながら、従来のベッド装置の足ボトム支持機構では、足先支持ステーの端部を足先支持ステー用支持部に配置する箇所が２箇所もあるため、介護者にとっては、足先支持ステーの配置の仕方が分かり難いと感じてしまう可能性がある。すなわち、介護者は、利用者の足先の位置を低位置に調節するときでも、利用者の足先の位置を高位置に調節するときでも、足先支持ステーの端部を足先支持ステー用支持部に配置することになるため、介護者にとっては、足先支持ステーの配置の仕方が分かり難いと感じてしまう可能性がある。
【０００９】
更に、足先支持ステー用支持部において、低段部が係合部よりも上段に位置している。このため、介護者は、利用者の足先の位置を「低位置」に調節する場合では、足先支持ステーの端部を足先支持ステー用支持部の「上段」にある低段部に配置することになる。一方、利用者の足先の位置を「高位置」に調節する場合では、足先支持ステーの端部を足先支持ステー用支持部の「下段」にある係合部に配置する（係合させる）ことになる。したがって、介護者は、利用者の足先の調整（高低）に対して、足先支持ステーが配置される２つの状態（具体的には、足先支持ステーの端部が上段又は下段に配置されるような２つの状態）を理解しなければならない。このため、利用者を介護する介護者に対して、機械操作による負担を与えてしまう可能性がある。
【００１０】
本発明は、上記の点に鑑みてなされたものであり、介護者が利用者の足先の位置を調整するときに、足先支持ステーの配置の仕方が従来よりも分かり易くなり、介護者の負担を従来よりも軽減することができるベッド装置の足ボトム支持機構を提供することを目的とする。
【課題を解決するための手段】
【００１１】
本発明のベッド装置の足ボトム支持機構は、ベッドフレームと、その一端部が前記ベッドフレームに回動昇降可能に支持された膝ボトムと、その一端部が前記膝ボトムの他端部に回動可能に連結された足ボトムとを備えたベッド装置の足ボトム支持機構において、前記足ボトムの他端部の下方に回動可能に連結された足先支持ステーと、前記ベッドフレームに設けられ、前記足ボトムの他端部が第１位置に調節されるときに前記足先支持ステーの先端部を移動可能に支持するための足先支持ステー用支持部と、前記足ボトムの下面に設けられ、前記足ボトムの他端部が前記第１位置よりも低い第２位置に調節されるときに前記足先支持ステーを前記足ボトムに固定するための足先支持ステー固定部材と、を具備することを特徴とする。
【００１２】
本発明のベッド装置の足ボトム支持機構において、前記足先支持ステー固定部材には、前記足先支持ステーを着脱可能な溝部が形成され、前記足ボトムの他端部が前記第２位置に調節されるときに、前記足先支持ステーは前記足先支持ステー固定部材の前記溝部に取り付けられ、前記足ボトムの他端部が前記第２位置から前記第１位置に調節されるときに、前記足先支持ステーは前記足先支持ステー固定部材の前記溝部から取り外されて、前記足先支持ステーの先端部は前記足先支持ステー用支持部により移動可能に支持される、ことを特徴とする。
【００１３】
本発明のベッド装置の足ボトム支持機構において、前記足ボトムには、マットレスがボトムの上面に設けられたときに前記足ボトムの他端部の上方で前記マットレスの長さ方向へのズレを抑制するためのマットレスズレ抑制部と、前記足ボトムの下面で前記マットレスズレ抑制部を支持するためのマットレスズレ抑制部支持体とを備えた足先用マットレス止め部が設けられ、前記足ボトムの下面には、前記足先用マットレス止め部の前記マットレスズレ抑制部支持体を前記足ボトムに固定するための足先用マットレス止め固定部材が設けられ、前記足先用マットレス止め固定部材には、前記足先用マットレス止め部の前記マットレスズレ抑制部支持体を着脱可能な溝部が形成され、前記足先支持ステー固定部材は、前記足先用マットレス止め固定部材と同じ部材である、ことを特徴とする。
【００１４】
本発明のベッド装置の足ボトム支持機構において、前記足先支持ステー用支持部は、前記足ボトムの他端部が前記第１位置に調節されるときに前記足先支持ステーの先端部を係合するための係合部、を備えたことを特徴とする。
【発明の効果】
【００１５】
本発明によれば、介護者が利用者の足先の位置を低位置に調節する場合、足先支持ステーを足ボトムの下面の足先支持ステー固定部材に固定することにより、膝上げ動作から膝下げ動作への移行を何度行なっても、利用者の足先の位置を低位置に保つことができる。また、介護者が、利用者の足先の位置を高位置に調節する場合、足先支持ステーを足先支持ステー用支持部に支持させることにより、膝上げ動作から膝下げ動作への移行を何度行なっても、利用者の足先の位置を高位置に保つことができる。
【００１６】
更に、本発明によれば、介護者は、利用者の足先の位置を高位置に調節するときだけ、足先支持ステーを足先支持ステー用支持部に配置すればよいため、介護者にとっては、足先支持ステーの配置の仕方が従来よりも分かり易い。
【００１７】
その理由として、足先支持ステー用支持部には、従来のベッド装置における低段部が設けられていない。代わりに、足先支持ステーを固定するための足先支持ステー固定部材が足ボトムの下面に設けられている。このため、介護者は、利用者の足先の位置を「低位置」に調節する場合では、足先支持ステーを足ボトムの下面の足先支持ステー固定部材に固定しておけばよい。一方、利用者の足先の位置を「高位置」に調節する場合では、足先支持ステー固定部材から足先支持ステーを取り外して、足先支持ステーを足先支持ステー用支持部に配置すればよい。
【００１８】
すなわち、介護者は、利用者の足先の位置を「高位置」に調節するときだけ、足先支持ステーを足先支持ステー用支持部に配置することになる。したがって、介護者は、利用者の足先の調整（高低）に対して、足先支持ステーが配置される状態（従来において、足先支持ステーの端部が上段又は下段に配置されるような２つの状態）を理解する必要はない。このため、利用者を介護する介護者に対して、機械操作による負担を与えることがない。
【００１９】
このように、本発明によれば、介護者が利用者の足先の位置を調整するときに、足先支持ステーの配置の仕方が従来よりも分かり易くなり、介護者の負担を従来よりも軽減することができる。
【図面の簡単な説明】
【００２０】
【図１】本発明に係るベッド装置１の足ボトム支持機構に用いられるフレームの全体斜視図である。
【図２】本発明に係るベッド装置１の足ボトム支持機構の部品展開図である。
【図３】本発明に係るベッド装置１の足ボトム支持機構の要部断面図である。
【図４】本発明に係るベッド装置１の足ボトム支持機構の要部断面図である。
【図５】本発明に係るベッド装置１の足ボトム支持機構の斜視図である。
【図６】本発明に係るベッド装置１の模式的側面図である。
【図７】本発明に係るベッド装置１の模式的側面図である。
【図８】本発明に係るベッド装置１の模式的側面図である。
【図９】本発明に係るベッド装置１の模式的側面図である。
【図１０】本発明に係るベッド装置１の模式的側面図である。
【発明を実施するための形態】
【００２１】
以下、本発明の実施形態について、添付図面を参照して説明する。
【００２２】
図１は、本発明に係るベッド装置１の足ボトム支持機構に用いられるフレームの全体斜視図である。図１では、ベッド装置１において、それに寝た状態の利用者の頭が向く頭側を符号「Ｈ」、外利用者の足が向く足側を符号「Ｆ」で示す。
【００２３】
図１に示すように、本発明に係るベッド装置１は、主に、頭側及び足側に端部が向く長さ方向が幅方向よりも長い概略ラダー状構造の上部フレーム１０１と、上部フレーム１０１上に載置されるボトムと、この上部フレーム１０１の頭側及び足側の下部にそれぞれ設けられた、床面上に対して上部フレーム１０１を昇降可能に支持する頭側昇降部１４Ｈ及び足側昇降部１４Ｆとを具備している。上部フレーム１０１は、ボトム上面にマットレスを置くためのフレームであるため、ベッドフレームとも呼ばれる。以下、上部フレーム１０１をベッドフレーム１０１と称する。
【００２４】
ベッドフレーム１０１の頭側及び足側の各部の下面側には、昇降部１４Ｈ及び１４Ｆの上端にベッドフレーム１０１を設置するための、ベッド装置１の幅方向に長い概略矩形枠状の枠フレーム１６Ｈ、１６Ｆが固定されている。
【００２５】
昇降部１４Ｈ及び１４Ｆの下端同士は、連結フレーム１８によって着脱可能に連結される。該連結フレーム１８は、対のパイプ状フレーム構造であって、頭側及び足側に向けて連結フレーム１８の長さ方向が沿った構造を呈している。
【００２６】
昇降部１４Ｈ及び１４Ｆにはそれぞれアクチュエータ３２、３４が設けられ、各アクチュエータ３２、３４の駆動力が別々に制御する構成であり、各アクチュエータ３２、３４の駆動制御によってベッドフレーム１０１が頭側及び足側同士の上下位置に差が付く傾動動作をさせることができる。
【００２７】
また、ベッドフレーム１０１には、頭側に背上げ用のフレーム２０と、中央部付近に膝上げ用のフレーム２２が設けられている。またそれらを駆動するアクチュエータ３６、３８も設けられている。ボトムをベッドフレーム１０１に搭載した状態で背上げ用のフレーム２０を作動させることによって、背上げ動作が可能であり、また、膝上げ用のフレーム２２を作動させることによって膝上げ動作が可能である。
【００２８】
上部フレーム１０上に載置されるボトムは、背ボトム、腰ボトム、膝ボトム、足ボトムから構成されている。
【００２９】
背ボトムの表面は、仰向けに横たわった状態の利用者の背中に接する面である。背ボトムの一端部は、利用者の頭が向く側である。
【００３０】
腰ボトムの表面は、仰向けに横たわった状態の利用者の腰に接する面である。背ボトムは、背ボトムの他端部と腰ボトムの一端部とに連結された連結部を支点とし、背上げ用のフレーム２０により、ベッドフレーム１０１に対して回動昇降可能に支持されている。
【００３１】
膝ボトムの表面は、仰向けに横たわった状態の利用者の足の太ももに接する面である。膝ボトムは、腰ボトムの他端部と膝ボトムの一端部とに連結された連結部を支点とし、膝上げ用のフレーム２２により、ベッドフレーム１０１に対して回動昇降可能に支持されている。
【００３２】
足ボトムの表面は、仰向けに横たわった状態の利用者の足のふくらはぎに接する面である。膝ボトムの他端部と足ボトムの一端部は、連結部により連結されている。即ち、足ボトムは、膝ボトムに対して回動可能に連結されている。
【００３３】
背上げ用のフレーム２０は背ボトムの裏面に取り付けられている。背上げ用のフレーム２０を駆動するアクチュエータ３６は、背上げ動作、及び、背下げ動作を実行可能である。背上げ動作では、ボトムがベッドフレーム１０１に搭載された状態で背上げ用のフレーム２０（背ボトム）を作動させることによって、背ボトムに接する利用者の背中を起こして、利用者が横たわっている状態（仰向けの状態）から座っている状態にする。例えば、利用者は、食事等を行なうときに、ベッド装置１に対して背上げ動作を行なわせることにより、横たわっている状態から座っている状態にすることができる。背下げ動作では、背上げ用のフレーム２０（背ボトム）を作動させることによって、背ボトムに接する利用者の背中を下して、利用者が座っている状態から横たわっている状態（仰向けの状態）にする。
【００３４】
膝上げ用のフレーム２２は膝ボトムの裏面に取り付けられている。膝上げ用のフレーム２２を駆動するアクチュエータ３８は、膝上げ動作、及び、膝下げ動作を実行可能である。膝上げ動作では、ボトムがベッドフレーム１０１に搭載された状態で膝上げ用のフレーム２２（膝ボトム）を作動させることによって、膝ボトムに接する利用者の膝を上げて、利用者の足が伸びている状態から曲がっている状態にする。膝下げ動作では、膝上げ用のフレーム２２（膝ボトム）を作動させることによって、膝ボトムに接する利用者の膝を下げて、利用者の足が曲がっている状態から伸びている状態にする。
【００３５】
足ボトムの他端部の下方には支持機構（足ボトム支持機構）が設けられ、足ボトム支持機構は、膝上げ動作が行なわれるときの足ボトムの他端部の位置、すなわち、利用者の足先の位置を第１位置（高位置）又は第１位置よりも低い第２位置（低位置）に調節を可能とする。
【００３６】
図２は、本発明に係るベッド装置１の足ボトム支持機構の部品展開図である。図３及び図４は、本発明に係るベッド装置１の足ボトム支持機構の要部断面図である。図５は、本発明に係るベッド装置１の足ボトム支持機構の斜視図である。図６〜図１０は、本発明に係るベッド装置１のボトム及びフレームの側面図である。
【００３７】
足ボトム１０６の両側面部には側面用マットレス止め部１２０が設けられる。側面用マットレス止め部１２０は、マットレスズレ抑制部１２１と、支持部とを備えている。マットレスズレ抑制部１２１と上記支持部は一体成型される。マットレスズレ抑制部１２１は、マットレスがボトムの上面に設けられたときに足ボトム１０６の側面部の上方でマットレスの幅方向へのズレを抑制する。上記支持部は、足ボトム１０６の側面部でマットレスズレ抑制部１２１を支持する。
【００３８】
側面用マットレス止め部１２０の支持部の具体例について説明する。
【００３９】
足ボトム１０６の両側面部の中央部分には、その側面部の厚みよりも薄い凸形状の突起部１２３が形成されている。そこで、上記支持部として、側面用マットレス止め部１２０には、突起部１２３に着脱可能な凹形状の溝部１２２が形成されている。ここで、図示は省略するが、背ボトムの両側面部には、足ボトム１０６で用いられる突起部１２３と同じ突起部が形成され、背ボトムの突起部１２３には、足ボトム１０６で用いられる側面用マットレス止め部１２０と同じ側面用マットレス止め部が設けられる。
【００４０】
足ボトム１０６には足先用マットレス止め部１３０が設けられる。足先用マットレス止め部１３０は、マットレスズレ抑制部と、マットレスズレ抑制部支持体とを備えている。上記マットレスズレ抑制部と上記マットレスズレ抑制部支持体は一体成型される。上記マットレスズレ抑制部は、マットレスがボトムの上面に設けられたときに足ボトム１０６の他端部の上方でマットレスの長さ方向へのズレを抑制する。上記マットレスズレ抑制部支持体は、足ボトム１０６の下面で上記マットレスズレ抑制部を支持する。
【００４１】
上記マットレスズレ抑制部は、棒体１３１、連結棒体１３２から構成される。棒体１３１は足ボトム１０６の幅方向の両側に一対構成されている。連結棒体１３２は棒体１３１の末端部に結合されている。上記マットレスズレ抑制部支持体は、棒体１３１の先端部を支持し、足ボトム１０６の下面に設けられた足先用マットレス止め固定部材１５０に固定される。
【００４２】
上記マットレスズレ抑制部支持体、及び、足先用マットレス止め固定部材１５０の具体例について説明する。
【００４３】
まず、足ボトム１０６の他端部付近には、足ボトム１０６の下面から上面まで厚み方向に貫通した貫通孔１４０が形成されている。足ボトム１０６の上面（又は下面）から見たときの貫通孔１４０の形状は、その長手方向がマットレスの長さ方向に延びる楕円形状である。また、足ボトム１０６の下面には、貫通孔１４０の長手方向の延長上に、足先用マットレス止め固定部材１５０の一端部が結合されている。
【００４４】
上記マットレスズレ抑制部支持体は、棒体１３３〜１３５から構成される。棒体１３３は、棒体１３１の先端部に結合され、足ボトム１０６の上面で足ボトム１０６の他端部から穴１４０まで伸びている。棒体１３４は、棒体１３３の先端部に結合され、穴１４０内で足ボトム１０６の上面から下面まで伸びている。棒体１３５は、棒体１３４の先端部に結合され、足ボトム１０６の下面で穴１４０から足先用マットレス止め固定部材１５０を超えるところまで伸びている。この棒体１３５は、足ボトム１０６の上面から貫通孔１４０を通って足ボトム１０６の下面に配置される。
【００４５】
足先用マットレス止め固定部材１５０の他端部には、他方の棒体１３５を着脱可能な溝部１５２が形成されている。１対の棒体１３５が足ボトム１０６の上面から貫通孔１４０を通って足ボトム１０６の下面に配置されるときに、他方の棒体１３５が溝部１５２に固定される。
【００４６】
上述のように、ベッドフレーム１０１には膝ボトム１０２の一端部が回動昇降可能に支持され、図１のアクチュエータ３８が作動することにより膝ボトム１０２を回動昇降可能にする。膝ボトム１０２の他端部には足ボトム１０６の一端部が回動可能に連結されていて、足ボトム１０６の他端部の下方には足先支持ステー１７０が回動可能に連結されている。
【００４７】
その足先支持ステー１７０は、支持ステー部１０７、連結棒体１０８、鉤状部１１０を備えている。支持ステー部１０７と連結棒体１０８と鉤状部１１０は一体成型されている。支持ステー部１０７は足ボトム１０６の幅方向の両側に一対構成されている。連結棒体１０８は支持ステー部１０７の末端部に結合されている。支持ステー部１０７の先端部１０９は、足ボトム１０６の幅方向に屈曲している。支持ステー部１０７の先端部１０９には鉤状部１１０が形成されている。支持ステー部１０７の先端部１０９と鉤状部１１０には摺動時における滑りを良くすることと、異音の発生を防止するための合成樹脂製キャップ１７１が嵌合されている。
【００４８】
ベッドフレーム１０１には、足先支持ステー１７０を支持するための足先支持ステー用支持部１１１（図１参照）が設けられている。１対の足先支持ステー用支持部１１１の間隔は、足先支持ステー１７０の連結棒体１０８と１対の支持ステー部１０７の先端部１０９とを合わせた長さに等しい。
【００４９】
この足先支持ステー用支持部１１１は、支持ステー部１０７の先端部１０９を移動可能に支持する係合部１１３（図６〜図１０参照）を備えている。係合部１１３の足側の部分には、足側に向かって上方に傾斜した傾斜面１１４が設けられている。
【００５０】
足ボトム１０６の他端部の下方には、足先支持ステー１７０を回動可能に連結するための１対の連結用蓋部１８０と、連結用溝部１８５とが設けられている。連結用溝部１８５は、足先支持ステー１７０の連結棒体１０８が設けられる溝部１８６と、溝部１８６の端部側に設けられた貫通しない穴部１８７とを備えている。連結用蓋部１８０は、連結用溝部１８５の溝部１８６の端部側に設けられた突起部１８１と、連結棒体１０８が設けられた連結用溝部１８５の溝部１８６を覆って固定するための蓋部１８２とを備えている。突起部１８１は、連結棒体１０８が設けられた溝部１８６を蓋部１８２が覆ったときに、穴部１８７に結合される。
【００５１】
このような足先支持ステー１７０は、利用者の足先の位置が第２位置（低位置）に調節される場合においては使用されない。この場合、足先支持ステー１７０は、足ボトム１０６の下面に設けられた足先支持ステー固定部材１９０に固定される。
【００５２】
足先支持ステー固定部材１９０の具体例について説明する。
【００５３】
足ボトム１０６の下面には、足先支持ステー固定部材１９０の一端部が接合されている。
【００５４】
足先支持ステー固定部材１９０の他端部には、足先支持ステー１７０の一方の支持ステー部１０７を着脱可能な溝部１９２が形成されている。
【００５５】
足先支持ステー固定部材１９０は、足先用マットレス止め固定部材１５０と同じ部材である。この場合、足先用マットレス止め部１３０（特にマットレスズレ抑制部支持体）及び足先支持ステー１７０（特に支持ステー部１０７）を同じ材料で成形することができる。
【００５６】
次に、本発明に係るベッド装置１の足ボトム支持機構の動作について説明する。
【００５７】
まず、介護者が利用者の足先の位置を低位置に調節しておき、利用者又は介護者が、ベッド装置に膝上げ動作を実行させた後に、膝下げ動作を実行させる場合について、図６及び図７を用いて説明する。
【００５８】
図６に示されるように、足先支持ステー１７０の支持ステー部１０７の一方が足先支持ステー固定部材１９０の溝部１９２に取り付けられている状態であり、かつ、膝ボトム１０２が回動上昇された状態である。この状態では、支持ステー部１０７は足ボトム１０６の他端部を支持しないので、足ボトム１０６の一端部は膝ボトム１０２と共に上昇しているが、他端部はベッドフレーム１０１上に位置している。すなわち、利用者の足先の位置が低位置にある。
【００５９】
この状態から膝ボトム１０２が回動下降された場合、足ボトム１０６の他端部はベッドフレーム１０１上に支持されながら、足側の方向に移動する。
【００６０】
この状態から更に膝ボトム１０２が回動下降され、膝ボトム１０２と足ボトム１０６とが水平状態になったものとする。この状態（膝ボトム１０２と足ボトム１０６とが水平状態）から膝ボトム１０２を回動上昇させた場合には、回動下降と逆の経過を辿って、足ボトム１０６の一端部が膝ボトム１０２と共に上昇し、他端部はベッドフレーム１０１上に位置している。すなわち、利用者の足先の位置が、再度、低位置にある。
【００６１】
次に、介護者が利用者の足先の位置を低位置から高位置に調節する場合について、図８及び図９を用いて説明する。
【００６２】
図８に示されるように、介護者は、足ボトム１０６の他端部を持ち上げる。その後、介護者は、足先支持ステー固定部材１９０による足先支持ステー１７０の固定を解除する。具体的には、介護者は、足ボトム１０６の下面の足先支持ステー固定部材１９０の溝部１９２から、足先支持ステー１７０の支持ステー部１０７を取り外す。
【００６３】
この状態において、足ボトム１０６を下降させた場合、図９に示されるように、支持ステー部１０７の先端部１０９は、係合部１１３に形成されている傾斜面１１４に至り、更に下降させた場合、係合部１１３を構成する壁に当接して係合状態となる。
【００６４】
次に、介護者が利用者の足先の位置を高位置に調節しておき、利用者又は介護者が、ベッド装置に膝上げ動作を実行させた後に、膝下げ動作を実行させる場合について、図９及び図１０を用いて説明する。
【００６５】
図９に示されるように、支持ステー部１０７の先端部１０９が係合部１１３に位置している状態であり、かつ、膝ボトム１０２が回動上昇された状態である。この状態では、支持ステー部１０７の先端部１０９は係合部１１３の頭側の方向に位置し、支持ステー部１０７は足ボトム１０６の他端部を支持しているので、足ボトム１０６の一端部は膝ボトム１０２と共に上昇し、他端部はベッドフレーム１０１の上方に位置している。すなわち、利用者の足先の位置が支持ステー部１０７により高位置にある。
【００６６】
この状態から膝ボトム１０２が回動下降された場合、足ボトム１０６の他端部は、支持ステー部１０７により支持されながら、足側の方向に移動し、図１０に示されるように、膝ボトム１０２と足ボトム１０６とが水平状態になる。
【００６７】
この状態において、支持ステー部１０７の先端部１０９が係合部１１３に位置しているが、支持ステー部１０７は足ボトム１０６の他端部を支持しているので、この状態（膝ボトム１０２と足ボトム１０６とが水平状態）から膝ボトム１０２を回動上昇させた場合には、足ボトム１０６の一端部は膝ボトム１０２と共に上昇し、他端部はベッドフレーム１０１の上方に位置する。すなわち、利用者の足先の位置が、支持ステー部１０７により、再度、高位置になる。
【００６８】
以上の説明により、本発明に係るベッド装置１の足ボトム支持機構では、介護者が利用者の足先の位置を低位置に調節する場合、足先支持ステー１７０を足ボトム１０６の下面の足先支持ステー固定部材１９０に固定することにより（具体的には、足先支持ステー１７０の支持ステー部１０７を足ボトム１０６の下面の足先支持ステー固定部材１９０の溝部１９２に取り付けることにより）、膝上げ動作から膝下げ動作への移行を何度行なっても、利用者の足先の位置を低位置に保つことができる。また、介護者が、利用者の足先の位置を高位置に調節する場合、足先支持ステー１７０を足先支持ステー用支持部１１１に支持させることにより（具体的には、足先支持ステー１７０の支持ステー部１０７の先端部１０９を足先支持ステー用支持部１１１の係合部１１３に係合させることにより）、膝上げ動作から膝下げ動作への移行を何度行なっても、利用者の足先の位置を高位置に保つことができる。
【００６９】
更に、本発明に係るベッド装置１の足ボトム支持機構では、介護者は、利用者の足先の位置を高位置に調節するときだけ、足先支持ステー１７０を足先支持ステー用支持部１１１に配置すればよいため、介護者にとっては、足先支持ステー１７０の配置の仕方が従来よりも分かり易い。
【００７０】
その理由として、足先支持ステー用支持部１１１には、従来のベッド装置における低段部１０１６が設けられていない。代わりに、足先支持ステー１７０を固定するための足先支持ステー固定部材１９０が足ボトム１０６の下面に設けられている。このため、介護者は、利用者の足先の位置を「低位置」に調節する場合では、足先支持ステー１７０を足ボトム１０６の下面の足先支持ステー固定部材１９０に固定しておけばよい（具体的には、足先支持ステー１７０の支持ステー部１０７を足ボトム１０６の下面の足先支持ステー固定部材１９０の溝部１９２に取り付けておけばよい）。一方、利用者の足先の位置を「高位置」に調節する場合では、足先支持ステー固定部材１９０から足先支持ステー１７０を取り外して、足先支持ステー１７０を足先支持ステー用支持部１１１に配置すればよい（具体的には、足ボトム１０６の下面の足先支持ステー固定部材１９０の溝部１９２から、足先支持ステー１７０の支持ステー部１０７を取り外して、足先支持ステー１７０の先端部１０９を足先支持ステー用支持部１１１の係合部１１３に係合させればよい）。
【００７１】
すなわち、介護者は、利用者の足先の位置を「高位置」に調節するときだけ、足先支持ステー１７０を足先支持ステー用支持部１１１に配置することになる。したがって、介護者は、利用者の足先の調整（高低）に対して、足先支持ステー１７０が配置される状態（従来において、足先支持ステーの端部が上段又は下段に配置されるような２つの状態）を理解する必要はない。このため、利用者を介護する介護者に対して、機械操作による負担を与えることがない。
【００７２】
このように、本発明に係るベッド装置１の足ボトム支持機構によれば、介護者が利用者の足先の位置を調整するときに、足先支持ステー１７０の配置の仕方が従来よりも分かり易くなり、介護者の負担を従来よりも軽減することができる。
【００７３】
以上、この発明の実施形態について図面を参照して詳述してきたが、具体的な構成はこの実施形態に限られるものではなく、この発明の要旨を逸脱しない範囲の設計等も特許請求の範囲に含まれる。
【産業上の利用可能性】
【００７４】
本発明は、在宅介護用ベッド装置、施設介護用ベッド装置、病院用ベッド装置等各種ベッド装置に利用することができる。
【符号の説明】
【００７５】
１  …  ベッド装置、
１４Ｈ  …  頭側昇降部、
１４Ｆ  …  足側昇降部、
１６Ｈ  …  枠フレーム、
１６Ｆ  …  枠フレーム、
１８  …  連結フレーム、
２０  …  背上げ用のフレーム、
２２  …  膝上げ用のフレーム、
３２  …  アクチュエータ、
３４  …  アクチュエータ、
３６  …  アクチュエータ、
３８  …  アクチュエータ、
１０１  …  上部フレーム（ベッドフレーム）、
１０２  …  膝ボトム、
１０６  …  足ボトム、
１０７  …  支持ステー部、
１０８  …  連結棒体、
１０９  …  端部、
１１０  …  鉤状部、
１１１  …  足先支持ステー用支持部、
１１３  …  係合部、
１１４  …  傾斜面、
１２０  …  側面用マットレス止め部、
１２１  …  マットレスズレ抑制部、
１２２  …  溝部、
１２３  …  突起部、
１３０  …  足先用マットレス止め部、
１３１  …  棒体（マットレスズレ抑制部）、
１３２  …  連結棒体（マットレスズレ抑制部）、
１３３  …  棒体（マットレスズレ抑制部支持体）、
１３４  …  棒体（マットレスズレ抑制部支持体）、
１３５  …  棒体（マットレスズレ抑制部支持体）、
１４０  …  貫通孔、
１５０  …  足先用マットレス止め固定部材、
１５２  …  溝部、
１７０  …  足先支持ステー、
１７１  …  合成樹脂製キャップ、
１８０  …  連結用蓋部、
１８１  …  突起部、
１８２  …  蓋部、
１８５  …  連結用溝部、
１８６  …  溝部、
１８７  …  穴部、
１９０  …  足先支持ステー固定部材、
１９２  …  溝部
【図１】
2014226368.tif 000003
【図２】
2014226368.tif 000004
【図３】
2014226368.tif 000005
【図４】
2014226368.tif 000006
【図５】
2014226368.tif 000007
【図６】
2014226368.tif 000008
【図７】
2014226368.tif 000009
【図８】
2014226368.tif 000010
【図９】
2014226368.tif 000011
【図１０】
2014226368.tif 000012